(57)【特許請求の範囲】
【請求項１】
円筒状の胴部を有する放射性薬液の入った放射性薬液容器を収納する遮蔽容器の内装材であって、容器本体の開口部に係合する遮蔽容器係合部と、該遮蔽容器係合部に隣接し、放射性薬液容器の胴径とほぼ等しいが該胴径より大きい内径を有する薬液容器挿入部と、該薬液容器挿入部から下方に向かって略円錐台状に形成され、その下端縁より複数個の拡開用切込みにより設けられた薬液容器固定片よりなる薬液容器固定部を有し、該薬液容器固定部の長さ（Ｌ）は放射性薬液容器の胴長の１／２ないし１の長さであり、該薬液容器固定部は、放射性薬液容器を挿入したときに、放射性薬液容器の胴径と同じ内径にまで拡開することを特徴とする内装材。
【請求項２】
薬液容器固定部が、３ないし１２個の薬液容器固定片によって構成されることを特徴とする請求項１記載の内装材。
【請求項３】
薬液容器固定部が、６ないし８個の薬液容器固定片によって構成されることを特徴とする請求項１記載の内装材。
【請求項４】
請求項１ないし請求項３記載のいずれかに記載の内装材であって、プラスチックで製したことを特徴とする内装材。
【請求項５】
放射性薬液の入った放射性薬液容器を収納する遮蔽容器の内装材であって、容器本体の開口部に係合する遮蔽容器係合部と、該遮蔽容器係合部に隣接し、放射性薬液容器の胴径より大きい内径を有する薬液容器挿入部と、該薬液容器挿入部から下方に向かって略円錐台状に形成され、その下端縁より複数個の拡開用切込みにより設けられた薬液容器固定片よりなる薬液容器固定部を有し、該薬液容器固定部の長さ（Ｌ）は放射性薬液容器の胴長の１／２ないし１の長さであるとともに、薬液容器固定部の外周に伸縮性リングを着けたことを特徴とする内装材。
【請求項６】
放射性薬液の入った放射性薬液容器を収納する遮蔽容器の内装材であって、容器本体の開口部に係合する遮蔽容器係合部と、該遮蔽容器係合部に隣接し、放射性薬液容器の胴径より大きい内径を有する薬液容器挿入部と、該薬液容器挿入部から下方に向かって略円錐台状に形成され、その下端縁より複数個の拡開用切込みにより設けられた薬液容器固定片よりなる薬液容器固定部を有し、該薬液容器固定部の長さ（Ｌ）は放射性薬液容器の胴長の１／２ないし１の長さであるとともに、薬液容器固定部の内表面に滑り止め加工を施したことを特徴とする内装材。
【請求項７】
請求項１ないし請求項６のいずれかに記載の内装材を備えた遮蔽容器。
【請求項８】
請求項７記載の遮蔽容器に、放射性薬液の入った放射性薬液容器を収納した放射性薬液収納遮蔽容器。
【発明の詳細な説明】
【０００１】
【発明の属する技術分野】
本発明は、数mlから数10mlの放射性薬液の入った放射性薬液容器を安全に収納し、運搬、保管するための遮蔽容器の内装材、および、該内装材を備えた遮蔽容器、さらには、該遮蔽容器に放射性薬液の入った放射性薬液容器を収納した放射性薬液収納遮蔽容器に関する。
【０００２】
【従来の技術】
数mlから数10mlの放射性薬液を封入したバイアル、プレフィルドシリンジ、アンプル等の放射性薬液容器を収納し、運搬、保管するための遮蔽容器は、従来、放射線の遮蔽および放射性薬液容器の破損時の安全性を考慮して設計されるものがほとんどであった。
【０００３】
例えば、放射性薬液容器の胴部の周囲を、薬液吸収能を有する吸収紙で包囲し、放射性薬液容器と遮蔽容器との隙間を埋めることにより放射性薬液容器の固定を行うものが一般的に知られている。
しかし、放射性薬液容器や遮蔽容器は、その成形時に寸法誤差が生じることがあるため、該吸収紙のみでは、遮蔽容器内への放射性薬液容器の固定が不十分なものとなったり、放射性薬液容器の破損防止のための緩衝作用も不十分なものとなっている場合がある。
【０００４】
上記のものにおいて、緩衝作用を確保するためには放射性薬液容器と遮蔽容器との隙間を空けないように吸収紙で埋める必要があるが、そのように、遮蔽容器の中に放射性薬液容器と吸収紙を挿入するといった細かい作業を機械で行うことは困難である。
【０００５】
また、使用に際して放射性薬液容器から薬液を注射器等で抜き取るときは、放射性薬液容器を傾斜させたり転倒させたりすると抜き取り易くなるが、その際は、放射性薬液容器と遮蔽容器との固定が不十分であるために、遮蔽容器に収納したまま放射性薬液容器を安全に傾斜させることは難しく、まして、転倒させることはできない。放射性薬液容器を遮蔽容器から取り出して作業をすれば、薬液容器を傾斜させたり転倒させたりすることが可能であるが、その場合は、放射線被曝による危険性が増すため不適切である。
【０００６】
近年、図８ないし図１１に示すようなゴム製の内装材(19)を有する遮蔽容器が開発されている。
これは、バイアル型の放射性薬液容器(21)をその首部において固定するもので、放射性薬液容器と遮蔽容器とを一緒に傾斜させたり転倒させることができ、しかも、放射性薬液容器を遮蔽容器から少し引き出すことができ、放射性薬液容器からの薬液の抜き取りを容易にすることができる。
【０００７】
しかし、上記内装材は、放射性薬液容器の首部のみと接しているため、薬液容器胴部の下方部における固定は不十分であり、薬液容器胴部と遮蔽容器との間は外部からの衝撃により動揺し、放射性薬液容器が破損する危険性を有している。もちろん、薬液容器胴部と遮蔽容器との間には吸収紙(22)を配置するが、それだけでは緩衝作用はやはり不十分で、放射性薬液容器が破損しやすいという点は解消されていない。
また、放射性薬液容器を遮蔽容器から少し引き出すとき、図１１のごとく、長さ（Ｍ）以上（薬液容器肩部によって上方に持ち上げられた内装材の内面(19a) が薬液容器胴部に接触する位置以上）引き出さないと保持されない。
【０００８】
【発明が解決しようとする課題】
本発明は、▲１▼放射性薬液容器を遮蔽容器内に確実に固定するとともに外部からの衝撃を緩衝することにより、放射性薬液容器の破損を防止すること、▲２▼放射性薬液容器を遮蔽容器と一緒に傾斜させたり転倒させたり、放射性薬液容器を遮蔽容器から少し引き出したりすることができるようにして、放射性薬液容器から注射器等への薬液の抜き取りを容易にすること、ならびに、▲３▼放射性薬液の入った放射性薬液容器を遮蔽容器に収納する作業を容易にして収納作業を機械化可能とすること、を目的とする。
【０００９】
【課題を解決するための手段】
上記課題を解決するため、検討を重ねた結果、以下のような構成を有する内装材を遮蔽容器に備えることにより、上記課題を解決することができることを見いだし、本発明を完成した。
【００１０】
すなわち、円筒状の胴部を有する放射性薬液の入った放射性薬液容器を収納する遮蔽容器の内装材であって、容器本体の開口部に係合する遮蔽容器係合部と、該遮蔽容器係合部に隣接し、放射性薬液容器の胴径とほぼ等しいが該胴径より大きい内径を有する薬液容器挿入部と、該薬液容器挿入部から下方に向かって略円錐台状に形成され、その下端縁より複数個の拡開用切込みにより設けられた薬液容器固定片よりなる薬液容器固定部を有し、該薬液容器固定部の長さ（Ｌ）は放射性薬液容器の胴長の１／２ないし１の長さであり、該薬液容器固定部は、放射性薬液容器を挿入したときに、放射性薬液容器の胴径と同じ内径にまで拡開することを特徴とする内装材である。該内装材は、薬液容器固定部が、３ないし１２個の薬液容器固定片を有することが好ましく、特に好ましくは、６ないし８個である。また、薬液容器固定部の外周に伸縮性リングを着けたり、薬液容器固定部の内表面に滑り止め加工を施してもよい。該内装材を備えた遮蔽容器、および、該遮蔽容器に放射性薬液の入った放射性薬液容器を収納した放射性薬液収納遮蔽容器は、上記課題を解決するものとして好適に使用される。
【００１１】
【発明の実施の形態】
本発明において、放射性薬液容器は、数mlから数10mlの放射性薬液を封入した容器で、円筒状の胴部を有するガラス製、合成樹脂製等の容器（例えば、バイアル、プレフィルドシリンジ、アンプル等）を示す。
【００１２】
遮蔽容器は、容器本体および蓋からなり、容器本体は、放射性薬液容器の収納部を有する有底のもので、その内径は、収納する放射性薬液容器の胴径よりやや大きいものである。該容器本体は、放射線遮蔽部材製の容器体にプラスチック製の外装容器を施したものである。また、蓋は、放射線遮蔽部材製の蓋体にプラスチック製の外装容器を施したものである。放射線遮蔽部材としては、鉛、タングステン、鉛とタングステンを組み合わせたもの等、放射線遮蔽部材を１種或いは複数組み合わせて使用することが可能である。
【００１３】
内装材は、遮蔽容器係合部、薬液容器挿入部、および薬液容器固定部によって構成される。
遮蔽容器係合部は、内装材自身を遮蔽容器に固定するための部分で、該遮蔽容器の容器本体の開口部にしっかり固定するように部分的あるいは全体的に係合させる。固定の方法は、外装容器に溝を作ってそこに内装材を嵌合させたり、凹凸の嵌合部を外装容器や容器本体と遮蔽容器係合部との間で設けたり、ネジ式にしたり、あるいは、容器本体の開口部に内装材を接着させる等、様々な方法が採用される。
薬液容器挿入部は、該遮蔽容器係合部に隣接し、放射性薬液容器の胴径とほぼ等しいが、胴径より大きい内径を有する。内径は、薬液容器の挿入が容易であればよく、通常は薬液容器よりやや大きい内径が選ばれる。
薬液容器固定部は、該薬液容器挿入部から下方に向かって略円錐台状に形成し、その下端縁より複数個の拡開用切込みにより設けられた薬液容器固定片よりなるものであり、その長さ（Ｌ）は、収納する放射性薬液容器の胴長の１／２ないし１の長さを有する。
また、これら内装材の各部分（遮蔽容器係合部、薬液容器挿入部、および薬液容器固定部）は、互いに独立したものではなく、境目がない１つの部材で製することが望ましい。
【００１４】
放射性薬液容器を遮蔽容器に収納するとき、内装材の薬液容器固定部は、放射性薬液容器の胴径と同じ内径にまで拡開すると同時に、放射性薬液容器の胴部をその中心に向かって挟圧することによって放射性薬液容器を固定する。このため、薬液容器固定部は曲げ能力と曲げに対する復元力を有することが必要である。具体的には、プラスチックや薄い金属、特殊な加工を施した紙等が使用されるが、特に、ポリプロピレン、ポリエチレン、ポリ塩化ビニル、ナイロン等のプラスチックが好適である。
【００１５】
ここで、薬液容器固定部に設ける拡開用切込みの数や大きさは、内装材の材質や形状、収納する放射性薬液容器の大きさ等に応じて、適宜決定されるが、拡開用切込みの数が少ない場合は、曲げ能力が小さく復元力が大きくなる。反対に、数を多くすると、曲げ能力は大きくなるが復元力は小さくなる。
また、拡開用切込みの幅が小さい場合は、曲げ能力が小さく復元力が大きくなる。反対に、幅を大きくすると、曲げ能力は大きくなるが復元力は小さくなる。これらを考慮にいれ、３ないし１２個から選ばれる適当な数の拡開用切込みを設けることによりそれと同数の薬液容器固定片を形成することが好ましく、特に、６ないし８個の薬液容器固定片を形成することが好ましい。
【００１６】
さらに、薬液容器固定部の曲げ能力と曲げに対する復元力を補強するために、ゴム等の伸縮性のある部材で製した伸縮性リングを薬液容器固定部の外周に着けてもよい。
また、放射性薬液容器の固定、保持をさらに確実なものにするために、薬液容器固定部の内表面に滑り止め加工を施してもよい。さらに、収納容器と内装材の間に、薬液吸収用の吸収材を配してもよい。
【００１７】
内装材の薬液容器挿入部は、放射性薬液容器の胴径とほぼ等しいが胴径よりは少し大きい内径を有するため、放射性薬液容器が挿入しやすくなっている。該内装材を備えた遮蔽容器に放射性薬液容器を挿入（収納）するとき、薬液容器固定部に設けられた拡開用切込みによって薬液容器固定部が放射性薬液容器の胴径と同じ内径になるまで拡開すると同時に、薬液容器固定部がそれ自身の有する復元力によって元の狭い径に戻ろうとし、放射性薬液容器の胴部を中心に向かって挟圧するため、該胴部は挿入した底部側から順次、薬液容器固定部に保持され、確実に固定される。
また、放射性薬液容器を引き出すときも、薬液容器固定部によって任意の位置で放射性薬液容器を保持することができる。
しかも、放射性薬液容器を収納するとき、薬液容器固定部が放射性薬液容器を遮蔽容器の中心に向かって案内するため、放射性薬液容器や遮蔽容器の多少の寸法誤差に影響されることなく、円滑に放射性薬液容器を収納することができる。さらに、遮蔽容器と内装材の間に配置した吸収紙は、薬液容器固定部によって外側に押し拡げられるため、放射性薬液容器収納の妨げになることはない。よって、放射性薬液容器の収納作業を機械化することも可能となる。
【００１８】
【実施例】
本発明について、一実施例をあげて図面を参照しながら、以下に説明する。
図１ないし図３には本発明の一態様である内装材(1) 、図４には該内装材(1) を備えた遮蔽容器(7) 、図５には該遮蔽容器(7) に放射性薬液の入った放射性薬液容器(16)を収納した放射性薬液収納遮蔽容器(15)を示す。
図４に示す遮蔽容器(7) は、容器本体(10)と蓋(13)より成り、容器本体の開口部に後述の内装材(1) を備えたものである。
【００１９】
容器本体(10)は、放射性薬液容器の収納部(14)を有する有底の略円筒状の鉛製の容器体(8) にプラスチック製の外装容器(9) を施したものである。
また、蓋(13)は、鉛製の蓋体(11)にプラスチック製の外装容器(12)を施したものである。容器本体(10)と蓋(13)の嵌合部は、放射線遮蔽部材の内側と外側に段差(8a,11a)を設け、その噛み合わせによって、内装材を備えることによって生ずる隙間からの放射線の漏洩を防いでいる。また、容器本体の外装容器(9) には、内装材を嵌合するための環状の溝(9a)を設ける。
【００２０】
内装材(1) は、遮蔽容器係合部(2) 、薬液容器挿入部(3) および薬液容器固定部(4) から構成される。
遮蔽容器係合部(2) は、遮蔽容器の容器本体の開口部に設けられた段差(8a)に係合した形状で、その周端を外装容器に設けられた溝(9a)に嵌合させることによって遮蔽容器本体の開口部に密着・固定している。
このとき、内装材の固定に接着剤等は使用していないため、廃棄の際は、遮蔽容器から内装材の薬液容器固定片を引っ張るだけで簡単に取り外すことができ、放射線遮蔽部材で製した容器体(8) と、プラスチックで製した外装容器(9) を簡単に分離することができる。なお、容器体(8) は再利用が可能である。
薬液容器挿入部(3) は、遮蔽容器係合部に隣接し、放射性薬液容器の胴径とほぼ等しいが、胴径よりは少し大きい内径を有する。
薬液容器固定部(4) は、薬液容器挿入部から下方に向かって略円錐台に延在し、その下端縁より６個の拡開用切込み(5) によって、６個の薬液容器固定片(6) を形成し、薬液容器固定部の長さ（Ｌ）は、収納する放射性薬液容器の胴長とほぼ同一の長さである。
【００２１】
該内装材の各部分は互いに境目がなく、曲げ能力と曲げに対する復元力を有する一つの部材 (例えば、ポリプロピレン等のプラスチック) で製する。
図５において、放射性薬液容器(16)は、ガラス製の薬液容器型のものを示している。また、遮蔽容器内には、万一に備えて、放射性薬液容器に封入した薬液を吸収することができる吸収紙(17)を該放射性薬液容器との間に配置する。
図４に示す遮蔽容器(7) に、放射性薬液容器(16)を収納したとき、図５に示すように、内装材の薬液容器固定部は、放射性薬液容器の胴径と同じ内径になるまで拡開すると同時に、薬液容器固定部がそれ自身の有する復元力によって元の狭い径に戻ろうとし、放射性薬液容器の胴部を中心に向かって挟圧し、確実に固定する。また、放射性薬液容器を引き出すときには、任意の位置で放射性薬液容器を保持することができる。さらに、放射性薬液容器を完全に引き出した時、薬液容器固定部は再び元の状態に戻る。
【００２２】
図６および図７は、本発明の内装材の別の態様で、８個の薬液容器固定片(6) を有する内装材に、薬液容器固定部の曲げ能力と曲げに対する復元力を補強するために、ゴム等の伸縮性のある部材で製した伸縮性リング(18)を薬液容器固定部の外周に着けたものである。
なお、これらの内装材には、放射性薬液容器の固定、保持をさらに確実なものにするために、薬液容器固定部の内表面に滑り止め加工を施してもよい。
【００２３】
【実験例】
図５のとおり作成した、本発明の放射性薬液収納遮蔽容器について、具体的な数値とともに実験結果を示す。
5ml用の薬液容器 (胴径20mm: 胴長30mm) を収納するために、容器体および蓋体を鉛で製し、その内径を24mm、厚みを 9mmとし、開口部の段差の部分は xを 4mm、 yを 4mm、z を 3mmとした遮蔽容器を用意した。
内装材は、ポリプロピレン製とし、その厚みは0.8mm とした。また、薬液容器固定部は容器体の段差に係合させ、周端を外装容器に設けられた溝(9a)に嵌合させることができるようにした。さらに、薬液容器固定部の長さ（Ｌ）を22mmとし、幅0.5mm 、深さ18mmの拡開用切込みを６個設けた。
これに、上記の薬液容器を収納したとき、拡開用切込みによって薬液容器固定部が薬液容器の胴径と同じ内径にまで拡開した状態になり、その状態でゆすったり振動を与えたりしても、薬液容器が遮蔽容器に接触する等、薬液容器の把持が不安定になることはなく、薬液容器が確実に固定されていることが確認された。また、薬液容器を 5mm、10mm、15mm引き出したときにも、それぞれの位置で薬液容器は保持され、傾斜させたり転倒させたりしても薬液容器が飛び出すことはなかった。薬液容器を完全に引き出したときには、内装材は薬液容器挿入前の状態に戻った。
【００２４】
【発明の効果】
本発明の内装材によれば、放射性薬液容器を遮蔽容器内に安全に収納し、運搬、保管することができる。すなわち、放射性薬液容器を遮蔽容器内に確実に固定するとともに衝撃に対する緩衝作用を有するため、放射性薬液容器の破損を防止することができ、製造者、運搬者および使用者の安全性を高めることができる。しかも、放射性薬液収納遮蔽容器を（放射性薬液の入った放射性薬液容器と遮蔽容器を一緒に）傾斜させたり転倒させたり、放射性薬液容器を遮蔽容器から少し引き出すこともできるため、放射性薬液容器からの薬液の抜き取りが容易になるため、使用者の使い勝手を良くするとともに安全性を高めることが可能となる。
また、放射性薬液容器の遮蔽容器への収納を機械化することができるため、作業効率を高めることも可能である。
【図面の簡単な説明】
【図１】  本発明の一態様である内装材の斜視図。
【図２】  図１の内装材を真横から見た図。
【図３】  図１の内装材を真上から見た図。
【図４】  図１の内装材を備えた遮蔽容器の横断面図。
【図５】  図４の遮蔽容器に、放射性薬液の入った放射性薬液容器を収納した放射性薬液収納遮蔽容器の横断面図。
【図６】  本発明の別の態様である、伸縮性リングを着けた内装材の斜視図。
【図７】  図６の内装材を真横から見た図。
【図８】  従来技術であるゴム製の内装材の斜視図。
【図９】  図８のゴム製の内装材を真上から中心線に沿って切断した時の斜視図。
【図１０】  図８のゴム製の内装材を備えた放射性薬液収納遮蔽容器の横断面図。
【図１１】  図１０の遮蔽容器から放射性薬液容器を引き出した時の横断面図。
【符号の説明】
１：内装材
２：遮蔽容器係合部
３：薬液容器挿入部
４：薬液容器固定部
５：拡開用切込み
６：薬液容器固定片
７：内装材を備えた遮蔽容器
８：容器体
8a：段差
９：外装容器
9a：環状の溝
10：容器本体
11：蓋体
11a ：段差
12：外装容器
13：蓋
14：放射性薬液容器の収納部
15：放射性薬液収納遮蔽容器
16：放射性薬液容器
17：吸収紙
18：伸縮性リング
19：ゴム製の内装材
19a ：内装材の内面
20：放射線遮蔽部材
21：薬液容器
22：吸収紙
【図１】
0003643150.tif 000002
【図２】
0003643150.tif 000003
【図３】
0003643150.tif 000004
【図４】
0003643150.tif 000005
【図５】
0003643150.tif 000006
【図６】
0003643150.tif 000007
【図７】
0003643150.tif 000008
【図８】
0003643150.tif 000009
【図９】
0003643150.tif 000010
【図１０】
0003643150.tif 000011
【図１１】
0003643150.tif 000012